(57)【要約】【課題】非常事態に照明としての役割を果たし、かつ非常事態以外では作動しない非常灯兼用テレビジョン受像機を提供する。【解決手段】外部から供給される電力を常時蓄積する蓄積部４と電力が供給されているか否かを検出する検出部３と周囲の明るさを検知する明度検出部２と外部から供給される電力或いは蓄積部３に蓄積されている電力のいずれかが出力されるように選択切換えを行う切換部６と検出部３で外部から供給される電力が検出されない場合には切換部６から蓄積部４の蓄積電力が出力されるようにさせ、検出された場合には切換部６から外部から供給されている電力が出力されるようにさせる制御部５と切換部６から蓄積部４の蓄積電力が出力されかつ明度検出部２で検出された周囲の明るさが所定値以下であった場合に蓄積部４に蓄積されている電力により表示部に発光させる発光部１０と、から構成されている。【選択図】      図１
2007318489.tif 000002
【特許請求の範囲】
【請求項１】
非常時に表示部を発光させて非常灯として用いる非常灯兼用テレビジョン受像機において、
外部から供給される電力を常時蓄積する蓄積部と、
前記外部から電力が供給されているか否かを検出する検出部と、
周囲の明るさを検知する明度検出部と、
前記外部から供給される電力或いは前記蓄積部に蓄積されている電力のいずれかが出力されるように選択切換えを行う切換部と、
前記検出部で前記外部から供給される電力が検出されない場合には、前記切換部から前記蓄積部に蓄積されている電力が出力されるようにさせ、検出された場合には、前記切換部から前記外部から供給されている電力が出力されるようにさせる制御部と、
前記切換部から蓄積部に蓄積されている電力が出力され、かつ前記明度検出部で検出された周囲の明るさが所定値以下であった場合に、前記蓄積部に蓄積されている電力により前記表示部に発光させる発光部と、
から構成されたことを特徴とする非常灯兼用テレビジョン受像機。
【発明の詳細な説明】
【技術分野】
【０００１】
本発明は、常時電力を供給する電力供給部からの電力の一部を蓄積する蓄電部を有するテレビジョン受像機において、停電時に蓄電部に蓄積された電力を用いて緊急的な照明を行う非常灯兼用テレビジョン受像機に関するものである。
【背景技術】
【０００２】
災害時、停電時等の不測の事態においては、種々の情報を得るためにラジオ受信機やテレビジョン受像機を使おうとするが、この災害時、停電時等の不測の事態においては商用電源が無くなるので、他の電気製品も含めて使用することができなくなってしまう。
この場合においても、テレビジョン受像機を使用できるようにすることが特許文献１に記載されている。
【０００３】
即ち、特許文献１には、商用電源入力端子と、リチウムイオン二次電池と、この商用電源入力端子に接続された商用電源により、このリチウムイオン二次電池を充電する充電回路と、このリチウムイオン二次電池の直流電圧を所望の電圧に変換するＤＣ−ＤＣコンバータと、このリチウムイオン二次電池の直流電圧を所望の交流電圧に変換するＤＣ−ＡＣコンバータと、を有し、この商用電源入力端子に接続された商用電源をそのまま出力する第１の交流電源出力端子とこのＤＣ−ＤＣコンバータで生成した所望の直流電圧を出力する直流電源出力端子とこのＤＣ−ＡＣコンバータで生成した所望の交流電圧を出力する第２の交流電源出力端子とを備えた電源装置について記載されている。
【特許文献１】特開２００４−１４７０２２号公報
【発明の開示】
【発明が解決しようとする課題】
【０００４】
しかしながら、災害時や停電時だけでなくそれ以外の時に作動することもあり、この場合、リチウムイオン二次電池に蓄積されている電力を消耗してしまい、実際の災害に有効に作動しないといった問題を生じていた。また、一方、こういった非常事態には、周囲を照らす照明が必要となるが、照明手段としての役割はできなかった。
【０００５】
そこで、本発明は、上記のような問題点を解消するためになされたもので、非常事態に照明としての役割を果たし、かつ非常事態以外では作動しない非常灯兼用テレビジョン受像機を提供することを目的とする。
【課題を解決するための手段】
【０００６】
本願発明は、非常時に表示部を発光させて非常灯として用いる非常灯兼用テレビジョン受像機において、外部から供給される電力を常時蓄積する蓄積部と、前記外部から電力が供給されているか否かを検出する検出部と、周囲の明るさを検知する明度検出部と、前記外部から供給される電力或いは前記蓄積部に蓄積されている電力のいずれかが出力されるように選択切換えを行う切換部と、前記検出部で前記外部から供給される電力が検出されない場合には、前記切換部から前記蓄積部に蓄積されている電力が出力されるようにさせ、検出された場合には、前記切換部から前記外部から供給されている電力が出力されるようにさせる制御部と、前記切換部から蓄積部に蓄積されている電力が出力され、かつ前記明度検出部で検出された周囲の明るさが所定値以下であった場合に、前記蓄積部に蓄積されている電力により前記表示部に発光させる発光部と、から構成されたことを特徴とする非常灯兼用テレビジョン受像機を提供するものである。
【発明の効果】
【０００７】
本発明の非常灯兼用テレビジョン受像機によれば、外部から供給される電力を常時蓄積する蓄積部と、前記外部から電力が供給されているか否かを検出する検出部と、周囲の明るさを検知する明度検出部と、前記外部から供給される電力或いは前記蓄積部に蓄積されている電力のいずれかが出力されるように選択切換えを行う切換部と、前記検出部で前記外部から供給される電力が検出されない場合には、前記切換部から前記蓄積部に蓄積されている電力が出力されるようにさせ、検出された場合には、前記切換部から前記外部から供給されている電力が出力されるようにさせる制御部と、前記切換部から蓄積部に蓄積されている電力が出力され、かつ前記明度検出部で検出された周囲の明るさが所定値以下であった場合に、前記蓄積部に蓄積されている電力により前記表示部に発光させる発光部と、から構成されているので、非常事態に照明としての役割を果たし、かつ非常事態以外では作動しない非常灯兼用テレビジョン受像機を提供することが出来る。
【発明を実施するための最良の形態】
【０００８】
以下に、本発明の実施形態に係わる非常灯兼用テレビジョン受像機（以下テレビジョン受像機と略す）について、図１及び図２を用いて説明する。
図１は、本発明の実施形態に係るテレビジョン受像機の構成を示す図である。
図２は、本発明の他の実施形態に係るテレビジョン受像機の構成を示す図である。
【０００９】
図１に示すように、本発明の実施形態に係るテレビジョン受像機１は、明度検出部２と、停電検出部（検出部）３と、蓄電部４と、制御部５と、切換部６と、電源部７と、遮断部８と、受信部９と、発光部１０と、から構成されており、外部の電力供給部１１から電力を供給されている。
図２に示すように、本発明の他の実施形態に係るテレビジョン受像機２０は、図１のテレビジョン受像機１に間欠部２１を付加したものである。
【００１０】
明度検出部２は、テレビジョン受像機の周囲の明るさを検出し、視覚に差し支えない明るさをＯＮ、視覚に差し支える所定値以下の明るさをＯＦＦとする明るさ信号を生成する。
停電検出部３は、電力供給部１１からの１の電力の供給状態を検出して、１の電力が供給されている非停電時にはON、１の電力供給のない停電時にはOFF、の停電検出信号を生成する。
【００１１】
蓄電部４は、リチウムイオン二次電池等の充電可能な電池からなり、電力供給部１１から供給される１の電力の一部を２の電力として蓄積する。
制御部５は、明るさ信号がＯＦＦで停電検出信号がＯＦＦの時にＯＦＦとなり、それ以外はＯＮとなる停電信号を抽出する。
切換部６は、制御部５で停電信号がＯＮ時には電力供給部１１からの１の電力を選択し、停電信号がＯＦＦ時には蓄電部４からの２の電力を選択して切換える。さらに、停電信号がＯＮ時にはＯＮ、停電信号がＯＦＦ時にはＯＦＦとなる選択信号を生成する。
電源部７は、切換部６で選択された電力を、遮断部８経由で受信部９と、発光部１０とに分配する。
【００１２】
遮断部８は、切換部６からの選択信号がＯＮ時には受信部９に電力を供給し、ＯＦＦ時には受信部９に供給される電力を遮断する。
受信部９は、テレビジョン放送を受信しテレビジョン画像信号に変換する。
発光部１０は、受信部１０５で変換されたテレビジョン画像信号を入力し、画像を表示する表示部を発光させる、液晶(発光はバックライト)、プラズマ等のディスプレイの発光によりテレビジョン画像を表示する。
【００１３】
電力供給部１１は、主として電力会社の発電所であり、電力会社から電線を経由して家庭のコンセントに電力が供給されている。
間欠部２１は、停電時に電源部７から供給される電力を一定時間ごとに遮断と供給とを交互に繰り返し行い発光部１０に電力を間欠に供給する。
【００１４】
次に動作について説明する。
(非停電時)
電力供給部１１からテレビジョン受像機１に電力が供給されていると、テレビジョン受像機１においては、停電検出部３は、電力供給部１１からの電力を検出してＯNの停電検出信号を生成するから、制御部５ではこのＯＮの停電検出信号に基づいて停電信号をＯＮにし、蓄電部４では電力供給部１１から供給される電力の一部を蓄積する。
切換部６では、制御部５で生成された停電信号がＯNであるから電力供給部１１からの電力を選択し、電源部７では切換部６で選択された電力を遮断部８経由で受信部９と、発光部１０とに分配する。
受信部９では電源部７から電力を供給されて動作し、テレビジョン放送を受信してテレビジョン画像信号に変換する。
そして、発光部１０は、受信部９と同様に電源部７から電力を供給されて動作し、受信部９で変換されたテレビジョン画像信号を入力し、画像を表示する表示部を発光させる、液晶(発光はバックライト)、プラズマ等のディスプレイの発光によりテレビジョン画像を表示する。
【００１５】
(停電時で明るいとき)
次に、災害等により電力供給部１１からテレビジョン受像機１に電力が供給されないと、停電検出部３ではＯＦＦの停電検出信号を生成する。
そして、明度検出部２で、視覚に差し支えない明るさを検出すると、制御部ではＯＮの停電信号を生成するから、この停電信号により切換部６では電力供給部１１からの電力供給状態のままとなり、切換部６からは電力は供給されないのでテレビジョン受像機１の動作は停止する。
【００１６】
(停電時で暗いとき)
次に、明度検出部２で、視覚に差し支える所定値以下の明るさを検出すると、制御部ではＯＦＦの停電信号を生成するから、この停電信号により切換部６では蓄電部４からの電力を選択し、遮断部８は、電源部７から遮断部８経由で受信部９に供給される電力を遮断する。
電源部７では、切換部６から蓄電部４からの電力を入力し発光部１０へ入力した電力を供給する。
発光部１０では、電源部７から供給された電力により発光し、テレビジョン受像機１の周囲を照明する。
【００１７】
図２に示すように、本発明の他の実施形態に係るテレビジョン受像機２０では、図１のテレビジョン受像機１に間欠部２１を付加したものであり、停電時に電源部７から供給される電力を一定時間ごとに遮断と供給とを繰り返し行い発光部１０に電力を間欠に供給することにより、発光部１０で消費される電力をさらに削減する。
【００１８】
テレビジョン受像機１及びテレビジョン受像機２０は、居間、或いは家族の個室等の見通しの良い場所に設置することにより、非常事態にテレビジョン受像機が設置されている室内全体を長時間照明して、非常事態に必要な携帯ラジオや懐中電灯或いは非常食等を、十分時間をかけて探すことができる。
【００１９】
このようにして、夜間のように周囲が暗い場合を検出する機能と、テレビジョン受像機の消費電力を減らす機能と、を付加すれば、停電時でも照明が不必要な明るいときには点灯せず、照明が必要な暗い時にのみ点灯し、かつ長時間の点灯も可能となる。
特に、照明としての役割を重視するので、電力を消費するテレビジョン放送等の受信動作は、停止させる。
【００２０】
以上述べてきたように、非常事態に照明としての役割を果たし、かつ非常事態以外では作動しない非常灯兼用テレビジョン受像機を提供することが出来る。
【図面の簡単な説明】
【００２１】
【図１】本発明の実施形態に係るテレビジョン受像機の構成を示す図である。
【図２】本発明の他の実施形態に係るテレビジョン受像機の構成を示す図である。
【符号の説明】
【００２２】
１・・・テレビジョン受像機、２・・・明度検出部、３・・・停電検出部（検出部）、４・・・蓄電部、５・・・制御部、６・・・切換部、７・・・電源部、８・・・遮断部、９・・・受信部、１０・・・発光部、２０・・・テレビジョン受像機、２１・・・間欠部
【図１】
2007318489.tif 000003
【図２】
2007318489.tif 000004